(57)【要約】【課題】床下の点検作業を行う際、人が床の開口部に入った状態で、断熱部材の分割断熱体を断熱部材本体から容易に離脱させることが可能な床の開口部の断熱構造を提供する。【解決手段】床２の裏側に、開口部１を囲む床枠５が設けられ、床枠５の内面に、複数の辺８，１０，１１を有する枠状の断熱部材６が設けられ、断熱部材６の下端部は床枠５の下端部よりも下方に突出し、断熱部材６は上下に分割可能な断熱部材本体１４と分割断熱体１５とを有し、断熱部材本体１４は床枠５に取付けられ、分割断熱体１５は、断熱部材本体１４のいずれか一辺８の下端部に着脱自在であって、下方に移動させることにより断熱部材本体１４から離脱可能である。【選択図】図２
2020056208.tif 000002
【特許請求の範囲】
【請求項１】
床の開口部の断熱構造であって、
床の裏側に、開口部を囲む床枠が設けられ、
床枠の内面に、複数の辺を有する枠状の断熱部材が設けられ、
断熱部材の下端部は床枠の下端部よりも下方に突出し、
断熱部材は上下に分割可能な断熱部材本体と分割断熱体とを有し、
断熱部材本体は床枠に取付けられ、
分割断熱体は、断熱部材本体の少なくともいずれか一辺の下端部に着脱自在であって、下方に移動させることにより断熱部材本体から離脱可能であり、
分割断熱体を断熱部材本体から離脱した場合、床枠の下端部から断熱部材本体の下端部までの突出量は、分割断熱体の離脱部分が離脱部分以外の部分よりも小さいことを特徴とする床の開口部の断熱構造。
【請求項２】
分割断熱体は隣接する他の辺の断熱部材本体の端部を有していることを特徴とする請求項１に記載の床の開口部の断熱構造。
【請求項３】
分割断熱体を着脱方向に案内する案内手段が分割断熱体と断熱部材本体とに設けられていることを特徴とする請求項１又は請求項２に記載の床の開口部の断熱構造。
【請求項４】
分割断熱体は断熱部材本体に接合する第１接合面を有し、
断熱部材本体は分割断熱体に接合する第２接合面を有し、
第１接合面に凸部が形成され、
第２接合面に凹部が形成され、
分割断熱体を断熱部材本体に取り付けた場合、凸部が断熱部材本体の下方から凹部に嵌合することを特徴とする請求項１から請求項３のいずれか１項に記載の床の開口部の断熱構造。
【請求項５】
上記請求項１から請求項４のいずれか１項に記載の開口部の断熱構造を有する床の床下点検方法であって、
人が床の開口部に入った状態で、断熱部材の分割断熱体を下方に移動して断熱部材本体から離脱し、
床の開口部内から断熱部材の分割断熱体の離脱部分の下方を通って床下に進入し、床下を点検することを特徴とする床下点検方法。
【発明の詳細な説明】
【技術分野】
【０００１】
本発明は、床の開口部、例えば点検口や床下収納庫の収納口等の断熱構造および床下点検方法に関する。
【背景技術】
【０００２】
従来、この種の断熱構造としては、例えば図１５，図１６に示すように、床１０１の裏側に根太１０２が設けられ、根太１０２の下端部に支持部材１０３が設けられ、支持部材１０３の内面に断熱部材１０４が設けられているものがある。
【０００３】
支持部材１０３は、平面視において、いずれか一辺が開放された「コ」の字形に配置された３本のフレームである。断熱部材１０４は、床１０１の開口部１０５を取り囲む四角枠状の部材であり、支持部材１０３に取付けられる固定側断熱部材１０６と、固定側断熱部材１０６から分割された可動側断熱部材１０７とを有している。
【０００４】
図１６に示すように、固定側断熱部材１０６は、平面視において、一辺が開放された「コ」の字形の部材である。可動側断熱部材１０７は、固定側断熱部材１０６に着脱自在であり、開口部１０５の中心側に向けて水平方向１０８に移動させることにより、固定側断熱部材１０６から離脱可能である。尚、可動側断熱部材１０７の外側には支持部材１０３は設けられていない。
【０００５】
これによると、図１６の仮想線で示すように、可動側断熱部材１０７を、開口部１０５の中心側に向けて水平方向１０８に移動し、固定側断熱部材１０６から離脱させることにより、支持部材１０３および断熱部材１０４からなる断熱構造が無い箇所が形成されるので、人が点検のために開口部１０５から床下に入る際の障害にはならない。
【０００６】
点検後、可動側断熱部材１０７を、開口部１０５の中心側から水平方向１０８に移動し、固定側断熱部材１０６に取付けることにより、図１６の実線で示すように断熱部材１０４が四角枠状に形成される。
【０００７】
尚、上記のような床の開口部の断熱構造は例えば下記特許文献１に記載されている。
【先行技術文献】
【特許文献】
【０００８】
【特許文献１】特許第５６１９５８８号
【発明の概要】
【発明が解決しようとする課題】
【０００９】
しかしながら上記の従来形式では、床下の点検作業を行うために、人が開口部１０５に入った状態で、可動側断熱部材１０７を固定側断熱部材１０６から離脱させる際、図１６の仮想線で示すように、開口部１０５内の自らの身体が可動側断熱部材１０７を開口部１０５の中心側に向けて水平方向１０８に移動する作業の邪魔になり、床下の点検作業がやり辛いといった問題がある。
【００１０】
本発明は、床下の点検作業を行う際、人が床の開口部に入った状態で、断熱部材の分割断熱体を断熱部材本体から容易に離脱させることが可能な床の開口部の断熱構造および床下点検方法を提供することを目的とする。
【課題を解決するための手段】
【００１１】
上記目的を達成するために、本第１発明は、床の開口部の断熱構造であって、
床の裏側に、開口部を囲む床枠が設けられ、
床枠の内面に、複数の辺を有する枠状の断熱部材が設けられ、
断熱部材の下端部は床枠の下端部よりも下方に突出し、
断熱部材は上下に分割可能な断熱部材本体と分割断熱体とを有し、
断熱部材本体は床枠に取付けられ、
分割断熱体は、断熱部材本体の少なくともいずれか一辺の下端部に着脱自在であって、下方に移動させることにより断熱部材本体から離脱可能であり、
分割断熱体を断熱部材本体から離脱した場合、床枠の下端部から断熱部材本体の下端部までの突出量は、分割断熱体の離脱部分が離脱部分以外の部分よりも小さいものである。
【００１２】
これによると、床下の点検作業を行う際、人が床の開口部に入った状態で、断熱部材の分割断熱体を断熱部材本体から離脱する。この時、分割断熱体を断熱部材本体から下方に移動することにより、分割断熱体を断熱部材本体から離脱することができるため、開口部内の自らの身体が分割断熱体の離脱作業の邪魔になることはなく、分割断熱体の離脱作業を容易に行うことができる。
【００１３】
上記のようにして分割断熱体を断熱部材本体から離脱した後、人は、身体を屈めた姿勢で、床の開口部内から断熱部材の分割断熱体の離脱部分の下方を通って床下に進入することができる。この際、床枠の下端部から断熱部材本体の下端部までの突出量は、分割断熱体の離脱部分が離脱部分以外の部分よりも小さくなっている。このため、床下の基礎（コンクリートや地面等）から分割断熱体の離脱部分における断熱部材本体の下端部までの高さが床下の基礎から分割断熱体の離脱部分以外の部分における断熱部材本体の下端部までの高さよりも高くなる。これにより、人が分割断熱体の離脱部分における断熱部材本体の下端部に衝突して断熱部材本体を損傷させることを防止することができる。
【００１４】
本第２発明における床の開口部の断熱構造は、分割断熱体は隣接する他の辺の断熱部材本体の端部を有しているものである。
【００１５】
これによると、断熱部材の分割断熱体を断熱部材本体から離脱した際、隣接する他の辺の断熱部材本体の端部も分割断熱体と共に断熱部材本体から離脱する。このため、分割断熱体の離脱部分の範囲が拡張され、人が分割断熱体の離脱部分における断熱部材本体の下端部に衝突して断熱部材本体を損傷させることを広範囲で防止することができる。
【００１６】
本第３発明における床の開口部の断熱構造は、分割断熱体を着脱方向に案内する案内手段が分割断熱体と断熱部材本体とに設けられているものである。
【００１７】
これによると、分割断熱体は案内手段によって案内されて断熱部材本体に着脱されるため、着脱作業時において、分割断熱体が断熱部材本体に対してずれることはなく、分割断熱体の着脱が容易且つ正確に行える。
【００１８】
本第４発明における床の開口部の断熱構造は、分割断熱体は断熱部材本体に接合する第１接合面を有し、
断熱部材本体は分割断熱体に接合する第２接合面を有し、
第１接合面に凸部が形成され、
第２接合面に凹部が形成され、
分割断熱体を断熱部材本体に取り付けた場合、凸部が断熱部材本体の下方から凹部に嵌合するものである。
【００１９】
これによると、分割断熱体を断熱部材本体に取り付けた場合、凸部が凹部に嵌合するため、分割断熱体が不用意に断熱部材本体から脱落するのを防止することができる。また、凸部は、断熱部材本体に形成されておらず、分割断熱体に形成されているため、分割断熱体を断熱部材本体から離脱した後、人は、床の開口部内から、凸部に引っ掛かることなく、断熱部材の分割断熱体の離脱部分の下方を通って床下に進入することができる。これにより、凸部の損傷を防止することができる。
【００２０】
本第５発明は、上記第１発明から第４発明のいずれか１項に記載の開口部の断熱構造を有する床の床下点検方法であって、
人が床の開口部に入った状態で、断熱部材の分割断熱体を下方に移動して断熱部材本体から離脱し、
床の開口部内から断熱部材の分割断熱体の離脱部分の下方を通って床下に進入し、床下を点検するものである。
【発明の効果】
【００２１】
以上のように本発明によると、床下の点検作業を行う際、人が床の開口部に入った状態で、断熱部材の分割断熱体を断熱部材本体から容易に離脱させることが可能である。また、人が床の開口部内から断熱部材の分割断熱体の離脱部分の下方を通って床下に進入する際、分割断熱体の離脱部分における断熱部材本体の下端部に衝突して断熱部材本体を損傷させることを防止することができる。
【図面の簡単な説明】
【００２２】
【図１】本発明の第１の実施の形態における床の開口部の断面図であり、断熱部材の分割断熱体を断熱部材本体に装着した状態を示す。
【図２】同、床の開口部の断面図であり、断熱部材の分割断熱体を断熱部材本体から離脱した状態を示す。
【図３】同、床の開口部に設けられる断熱部材の上方斜視図であり、分割断熱体を断熱部材本体に装着した状態を示す。
【図４】同、床の開口部に設けられる断熱部材の下方斜視図であり、分割断熱体を断熱部材本体に装着した状態を示す。
【図５】同、床の開口部に設けられる断熱部材の上方斜視図であり、分割断熱体を断熱部材本体から離脱した状態を示す。
【図６】同、床の開口部に設けられる断熱部材の下方斜視図であり、分割断熱体を断熱部材本体から離脱した状態を示す。
【図７】同、床の開口部に設けられる断熱部材の正面図であり、分割断熱体を断熱部材本体に装着した状態を示す。
【図８】同、床の開口部に設けられる断熱部材の正面図であり、分割断熱体を断熱部材本体から離脱した状態を示す。
【図９】同、床の開口部に設けられる断熱部材の側面図であり、分割断熱体を断熱部材本体に装着した状態を示す。
【図１０】同、床の開口部に設けられる断熱部材の側面図であり、分割断熱体を断熱部材本体から離脱した状態を示す。
【図１１】同、床の開口部を用いた床下点検方法の手順を説明する図である。
【図１２】同、床の開口部を用いた床下点検方法の手順を説明する図である。
【図１３】同、床の開口部を用いた床下点検方法の手順を説明する図である。
【図１４】本発明の第２の実施の形態における床の開口部の断面図であり、断熱部材の分割断熱体を断熱部材本体に装着した状態を示す。
【図１５】従来の床の開口部の断面図である。
【図１６】同、床の開口部に設けられる断熱部材の平面図である。
【発明を実施するための形態】
【００２３】
以下、本発明における実施の形態を、図面を参照して説明する。
【００２４】
（第１の実施の形態）
第１の実施の形態では、図１，図２に示すように、１は床２に形成された四角形の開口部であり、開口部１は例えば点検口として用いられる。
【００２５】
床２には、開口部１を開閉する四角板状の蓋３が設けられている。また、床２の裏側には、開口部１を囲む床枠５が設けられている。床枠５は四角形の枠であり、床枠５の少なくともいずれか一辺には根太が利用されている。床枠５の内周面には、断熱部材６が設けられている。
【００２６】
図３に示すように、断熱部材６は、ビーズ法ポリスチレンフォームで製作されており、四つの辺８〜１１を有する四角枠形状の部材である。尚、図１に示すように、断熱部材６の下端部は床枠５の下端部よりも下方に突出している。
【００２７】
図３〜図１０に示すように、断熱部材６は上下に分割可能な断熱部材本体１４と分割断熱体１５とを有している。断熱部材本体１４は、四角枠形状であり、図２に示すように複数本のタッピンねじ７（締結具の一例）によって床枠５に取付けられている。
【００２８】
分割断熱体１５は、断熱部材本体１４の一辺８の下端部に着脱自在であって、下方に移動させることにより断熱部材本体１４から離脱可能である。
【００２９】
ここで、図２に示すように、分割断熱体１５を断熱部材本体１４から離脱した状態で、分割断熱体１５の離脱部分１７における、床枠５の下端部から断熱部材本体１４の下端部までの突出量をＡとし、離脱部分１７以外の部分における、床枠５の下端部から断熱部材本体１４の下端部までの突出量をＢとする。この場合、突出量Ａは突出量Ｂよりも小さくなる。
【００３０】
また、図５，図６に示すように、分割断熱体１５は、隣接する他の二辺９，１０の断熱部材本体１４の端部１９を、両端に有している。これにより、分割断熱体１５を断熱部材本体１４から離脱した際、断熱部材本体１４の二辺９，１０の端部が分割断熱体１５と一体に断熱部材本体１４から離脱する。
【００３１】
また、分割断熱体１５を着脱方向２１（上下方向）に案内する案内手段２２が断熱部材本体１４と分割断熱体１５とに設けられている。案内手段２２は案内突部２３と案内溝部２４とを有し、案内突部２３は、分割断熱体１５の両端部に、上下方向にわたり形成されている。また、案内溝部２４は、断熱部材本体１４の相対向する二辺９，１０の端部に、上下方向にわたり形成されている。分割断熱体１５を断熱部材本体１４に着脱する際、案内突部２３は着脱方向２１において案内溝部２４に挿脱自在である。
【００３２】
また、分割断熱体１５は、断熱部材本体１４の一辺８に接合する第１接合面２６を、上端に有している。さらに、断熱部材本体１４の一辺８は、分割断熱体１５に接合する第２接合面２７を、下端に有している。
【００３３】
第１接合面２６には、複数の円形の凸部２９が形成されている。また、第２接合面２７には、複数の円形の凹部３０（孔）が形成されている。図１，図７，図９に示すように、分割断熱体１５を断熱部材本体１４に取り付けた場合、凸部２９が断熱部材本体１４の下方から凹部３０に嵌合する。
【００３４】
図１に示すように、断熱部材６の内側で且つ蓋３の下方には、断熱蓋３５が断熱部材６に支持されて設けられている。断熱蓋３５は、ビーズ法ポリスチレンフォームで製作された四角形状の蓋であり、断熱部材６から上方へ離脱可能である。尚、図１１に示すように、床２は基礎４（コンクリートや地面等）の上方に設けられている。
【００３５】
上記のような開口部１の断熱構造を有する床２の床下点検方法を以下に説明する。
【００３６】
先ず、図１１に示すように、蓋３を床２から取り外して開口部１を開く。次に、断熱蓋３５を、持ち上げて断熱部材６の上方へ離脱させ、開口部１から取り出す。その後、図２，図１２に示すように、人３７が開口部１内に入り、断熱部材６の分割断熱体１５を断熱部材本体１４から離脱する。この時、分割断熱体１５を断熱部材本体１４から下方に移動することにより、分割断熱体１５を断熱部材本体１４から離脱することができるため、開口部１内の自らの身体が分割断熱体１５の離脱作業の邪魔（障害）になることはなく、分割断熱体１５の離脱作業を容易に行うことができる。
【００３７】
また、上記のように分割断熱体１５を断熱部材本体１４から離脱する際、案内突部２３が案内溝部２４内を下降するため、分割断熱体１５は確実に下方へ案内されて移動する。
【００３８】
上記のようにして分割断熱体１５を断熱部材本体１４から離脱した後、図１３に示すように、人３７は、身体を屈めた姿勢で、開口部１内から断熱部材６の分割断熱体１５の離脱部分１７の下方を通って床下３６に進入し、床下３６を点検する。
【００３９】
この際、図２に示すように、床枠５の下端部から断熱部材本体１４の下端部までの突出量Ａ，Ｂは突出量Ａが突出量Ｂよりも小さいため、図１３に示すように、床下３６の基礎４から分割断熱体１５の離脱部分１７における断熱部材本体１４の下端部までの高さＨ１が基礎４から分割断熱体１５の離脱部分１７以外の部分における断熱部材本体１４の下端部までの高さＨ２よりも高くなる。
【００４０】
これにより、人３７が分割断熱体１５の離脱部分１７における断熱部材本体１４の下端部Ｃに衝突して断熱部材本体１４を損傷させることを防止することができる。
【００４１】
また、上記のように分割断熱体１５を断熱部材本体１４から離脱した際、図５，図６に示すように、隣接する他の二辺９，１０の断熱部材本体１４の端部１９も分割断熱体１５と共に断熱部材本体１４から離脱する。このため、分割断熱体１５の離脱部分１７の範囲が拡張され、人３７が離脱部分１７における断熱部材本体１４の下端部Ｃに衝突して断熱部材本体１４を損傷させることを広範囲で防止することができる。
【００４２】
さらに、凸部２９は、断熱部材本体１４に形成されておらず、分割断熱体１５に形成されているため、図１３に示すように、人３７は、身体を屈めた姿勢で、凸部２９に引っ掛かることなく、離脱部分１７の下方を通って床下３６に進入することができる。これにより、凸部２９の損傷を防止することができる。
【００４３】
床下３６を点検した後、人３７は、身体を屈めた姿勢で、床下３６から断熱部材６の分割断熱体１５の離脱部分１７の下方を通って開口部１内に戻る。その後、分割断熱体１５を上方に移動して断熱部材本体１４に取り付ける。
【００４４】
この際、案内突部２３が案内溝部２４に挿入されて案内溝部２４内を上昇するため、分割断熱体１５は確実に上方へ案内されて移動する。
【００４５】
上記のようにして分割断熱体１５を断熱部材本体１４に取り付けた場合、図１，図７，図９に示すように、凸部２９が凹部３０に嵌合するため、分割断熱体１５が不用意に断熱部材本体１４から脱落するのを防止することができる。
【００４６】
また、上記のように分割断熱体１５を断熱部材本体１４に着脱する際、分割断熱体１５は案内突部２３と案内溝部２４とによって着脱方向２１（上下方向）に案内されるため、着脱作業時において、分割断熱体１５が断熱部材本体１４に対してずれることはなく、分割断熱体１５の着脱が容易且つ正確に行える。
【００４７】
（第２の実施の形態）
上記第１の実施の形態では開口部１を点検口として用いているが、第２の実施の形態では、図１４に示すように、開口部１を床下収納庫の収納口として用いてもよい。この場合、蓋３の下方に収納ボックス４５が設置されている。収納ボックス４５の上端部は断熱部材６の内側に入り込んでおり、断熱蓋３５が収納ボックス４５の上端部の内側に着脱自在に支持される。蓋３を床２から離脱し、断熱蓋３５を収納ボックス４５から取り外した状態で、収納ボックス４５を開口部１から床２の上方へ取り出すことができる。
【００４８】
これによると、蓋３と断熱蓋３５とを取り外して開口部１を開き、収納ボックス４５を開口部１から床２の上方へ取り出した後、上記第１の実施の形態と同様な方法で床下３６を点検することができる。
【００４９】
上記各実施の形態では、図３，図４に示すように、分割断熱体１５は、断熱部材６の一辺８の下部を構成しているが、いずれか二辺（例えば二辺８，９或いは二辺８，１１等）の下部又はいずれか三辺（例えば三辺８，９，１０等）の下部或いは四辺８〜１１（全辺）の下部を構成するものであってもよい。
【００５０】
上記各実施の形態では、断熱部材６を四角枠形状に形成しているが、四角形に限定されるものではなく、四角形以外の多角形であってもよい。
【００５１】
上記各実施の形態では、図５，図６に示すように、案内突部２３を分割断熱体１５に形成し、案内溝部２４を断熱部材本体１４に形成しているが、案内突部２３を断熱部材本体１４に形成し、案内溝部２４を分割断熱体１５に形成してもよい。
【００５２】
上記各実施の形態では、凸部２９を分割断熱体１５に形成し、凹部３０を断熱部材本体１４に形成しているが、凸部２９を断熱部材本体１４に形成し、凹部３０を分割断熱体１５に形成してもよい。
【００５３】
上記各実施の形態では、凸部２９と凹部３０をそれぞれ円形に形成しているが、円形に限定されるものではなく、例えば多角形等であってもよい。
【００５４】
上記各実施の形態では、床枠５の少なくともいずれか一辺に根太を利用しているが、根太を利用していない床枠５を用いてもよい。
【００５５】
上記各実施の形態では、断熱部材６および断熱蓋３５の材質として、ビーズ法ポリスチレンフォームを用いているが、発泡スチロール或いはこれら以外の最適な材質を用いてもよい。
【符号の説明】
【００５６】
１      開口部
２      床
５      床枠
６      断熱部材
８〜１１      辺
１４    断熱部材本体
１５    分割断熱体
１７    離脱部分
１９    断熱部材本体の端部
２２    案内手段
２６    第１接合面
２７    第２接合面
２９    凸部
３０    凹部
３６    床下
Ａ，Ｂ    突出量
【図１】
2020056208.tif 000003
【図２】
2020056208.tif 000004
【図３】
2020056208.tif 000005
【図４】
2020056208.tif 000006
【図５】
2020056208.tif 000007
【図６】
2020056208.tif 000008
【図７】
2020056208.tif 000009
【図８】
2020056208.tif 000010
【図９】
2020056208.tif 000011
【図１０】
2020056208.tif 000012
【図１１】
2020056208.tif 000013
【図１２】
2020056208.tif 000014
【図１３】
2020056208.tif 000015
【図１４】
2020056208.tif 000016
【図１５】
2020056208.tif 000017
【図１６】
2020056208.tif 000018